【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
電圧信号または電流信号が与えられる回路接続点と、
前記回路接続点に入力端が接続され、この入力端に流れ出る電流を一定の割合で圧縮して出力端から引き込み、その電流量が外部より制御される第１の電流圧縮回路と、
前記回路接続点に入力端が接続され、この入力端から流れ込む電流を一定の割合で圧縮して出力端から流し出し、その電流量が外部より制御される第２の電流圧縮回路と、
１対の差動入力端の一方が前記回路接続点に接続され、出力端が前記第１、第２の電流圧縮回路の各電流量制御端に接続される差動アンプ回路と、
一端が前記第１の電流圧縮回路の出力端と前記第２の電流圧縮回路の出力端と前記差動アンプ回路の１対の差動入力端の他方に共通接続されるコンデンサとを具備したことを特徴とする半導体集積回路。
【請求項２】
前記第１の電流圧縮回路は、
コレクタが前記回路接続点に接続されエミッタ面積がｎ倍の第１のＰＮＰトランジスタと、
エミッタ面積が１倍の第２のＰＮＰトランジスタと、
一端が前記第１のＰＮＰトランジスタのエミッタに接続される第１の抵抗と、
一端が前記第２のＰＮＰトランジスタのエミッタに接続され、前記第１の抵抗のｎ倍の抵抗値を持つ第２の抵抗と、
前記第１の抵抗の他端と前記第２の抵抗の他端が共通接続される電源と、
前記第１のＰＮＰトランジスタのベースと前記第２のＰＮＰトランジスタのベースが共通接続される電流量制御端と、
入力端が前記第２のＰＮＰトランジスタのコレクタに接続される第１のカレントミラー回路とを具備し、
前記第２の電流圧縮回路は、
コレクタが前記回路接続点に接続され、エミッタ面積がｍ倍の第１のＮＰＮトランジスタと、
エミッタ面積が１倍の第２のＮＰＮトランジスタと、
一端が前記第１のＮＰＮトランジスタのエミッタに接続される第３の抵抗と、
一端が前記第２のＮＰＮトランジスタのエミッタに接続され、前記第３の抵抗のｍ倍の抵抗値をもつ第４の抵抗と、
前記第１のＮＰＮトランジスタのベースと前記第２のＮＰＮトランジスタのベースが共通接続される電流量制御端と、
入力端が前記第２のＮＰＮトランジスタのコレクタに接続される第２のカレントミラー回路とを具備し、前記第３の抵抗の他端と前記前記第４の抵抗の他端が接地されて構成され、
前記差動アンプ回路は、
各ゲートが前記１対の差動入力端となる第１、第２のＭＯＳトランジスタと、
エミッタが第１の出力端となる第３のＰＮＰトランジスタと、
前記第３のＰＮＰトランジスタのエミッタと前記電源の間に接続される第５の抵抗と、
エミッタが第２の出力端となる第３のＮＰＮトランジスタと、
前記第３のＮＰＮトランジスタのエミッタと接地間に接続される第６の抵抗とを具備し、前記第３のＰＮＰトランジスタと前記第３のＮＰＮトランジスタのベース電流が差動電流で制御されるよう構成され、
前記差動アンプ回路の第１の出力端が前記第１の電流圧縮回路の電流量制御端に接続され、前記差動アンプ回路の第２の出力端が前記第２の電流圧縮回路の電流量制御端に接続され、前記第１のカレントミラー回路の出力端と前記第２のカレントミラー回路の出力端が前記コンデンサの一端に接続されることを特徴とする請求項１に記載の半導体集積回路。
【請求項３】
前記第１の電流圧縮回路は、
一端が前記回路接続点に接続される第７の抵抗と、
一端が前記回路接続点に接続される、前記第７の抵抗のｎ倍の抵抗値を持つ第８の抵抗と、
エミッタが前記第７の抵抗の他端に接続され、ｎ倍のエミッタ面積を持つ第４のＮＰＮトランジスタと、
エミッタが前記第８の抵抗の他端に接続される、１倍のエミッタ面積を持つ第５のＮＰＮトランジスタと、
入力端が前記第５のＮＰＮトランジスタのコレクタに接続される第３のカレントミラー回路と、
前記第４のＮＰＮトランジスタのベースと前記第５のＮＰＮトランジスタのベースが共通接続される電流量制御端と、
入力端が前記第３のカレントミラー回路の出力端に接続される第４のカレントミラー回路とを具備し、前記第４のＮＰＮトランジスタのコレクタが電源に接続されて構成され、
前記第２の電流圧縮回路は、
一端が前記回路接続点に接続される第９の抵抗と、
一端が前記回路接続点に接続され、前記第９の抵抗のｍ倍の抵抗値を持つ第１０の抵抗と、
エミッタが前記第９の抵抗の他端に接続され、ｍ倍のエミッタ面積を持つ第４のＰＮＰトランジスタと、
エミッタが前記第１０の抵抗の他端に接続され、１倍のエミッタ面積を持つ第５のＰＮＰトランジスタと、
入力端が前記第５のＰＮＰトランジスタのコレクタに接続される第５のカレントミラー回路と、
前記第４のＰＮＰトランジスタのベースと前記第５のＰＮＰトランジスタのベースが共通接続される電流量制御端と、
入力端が前記第５のカレントミラー回路の出力端に接続される第６のカレントミラー回路とを具備し、前記第４のＰＮＰトランジスタのコレクタが接地されて構成され、
前記差動アンプ回路は、
各ゲートが前記１対の差動入力端となる第３、第４のＭＯＳトランジスタと、
そのベース電流が差動電流で制御される第６のＮＰＮトランジスタとを具備し、前記第６のＮＰＮトランジスタのエミッタを介して前記第１、第２の電流圧縮回路の電流量を制御するよう構成され、
前記第４のカレントミラー回路の出力端と前記第６のカレントミラー回路の出力端が前記コンデンサの一端に接続されていることを特徴とする請求項１に記載の半導体集積回路。
【手続補正２】
【補正対象書類名】明細書
【補正対象項目名】００１０
【補正方法】変更
【補正の内容】
【００１０】
【課題を解決するための手段】
本発明の半導体集積回路は、
電圧信号または電流信号が与えられる回路接続点と、
前記回路接続点に入力端が接続され、この入力端に流れ出る電流を一定の割合で圧縮して出力端から引き込み、その電流量が外部より制御される第１の電流圧縮回路と、
前記回路接続点に入力端が接続され、この入力端から流れ込む電流を一定の割合で圧縮して出力端から流し出し、その電流量が外部より制御される第２の電流圧縮回路と、
１対の差動入力端の一方が前記回路接続点に接続され、出力端が前記第１、第２の電流圧縮回路の各電流量制御端に接続される差動アンプ回路と、
一端が前記第１の電流圧縮回路の出力端と前記第２の電流圧縮回路の出力端と
前記差動アンプ回路の１対の差動入力端の他方に共通接続されるコンデンサとを具備したことを特徴とする。
【手続補正３】
【補正対象書類名】明細書
【補正対象項目名】００１２
【補正方法】変更
【補正の内容】
【００１２】
コンデンサ対応端子１には、流れ出す電流Ｉ１を１／Ｎに圧縮した電流Ｉ１／Ｎを引き込む電流圧縮回路３の入力端と、および流れ込む電流Ｉ２を１／Ｍに圧縮した電流Ｉ２／Ｍを流し出す電流圧縮回路５の入力端と、差動アンプ回路７の負（または正）入力端が接続される。
【手続補正４】
【補正対象書類名】明細書
【補正対象項目名】００１３
【補正方法】変更
【補正の内容】
【００１３】
電流圧縮回路３および電流圧縮回路５の電流量は、差動アンプ回路７の出力により制御される。電流圧縮回路３と電流圧縮回路５の圧縮された電流出力端は、共通接続され、差動アンプ回路７の正（または負）入力端とコンデンサ９の一端に接続される。なおここで、電流圧縮回路３、５の電流出力端とコンデンサ９の一端の共通接続部、およびコンデンサ対応端子１に関し、差動アンプ回路７の差動入力端に対する接続関係は、電流圧縮回路３、５の構成や、差動アンプ回路７における入出力信号の位相関係に応じて適宜決定される。
【手続補正５】
【補正対象書類名】明細書
【補正対象項目名】００１４
【補正方法】変更
【補正の内容】
【００１４】
本構成において、差動アンプ回路７はコンデンサ対応端子１とコンデンサ９の電圧を同じにするように動作する。例えばコンデンサ対応端子１の電圧を上げようとすると、それに応じて差動アンプ回路７の一方入力端が上がるため、電流圧縮回路５がコンデンサ対応端子１から電流Ｉ２を引き込み、その１／Ｍの電流Ｉ２／Ｍを流し出そうとする。
【手続補正６】
【補正対象書類名】明細書
【補正対象項目名】００１７
【補正方法】変更
【補正の内容】
【００１７】
以上の動作により、コンデンサ対応端子１の電圧とコンデンサ９の電圧は追従する。また、コンデンサ対応端子１へ流れ込む電流は電流圧縮回路５によりコンデンサ９へ流れ込む電流のＭ倍となり、コンデンサ対応端子１から流れ出る電流は電流圧縮回路３によりコンデンサ９から流れ出る電流のＮ倍となる。
【手続補正７】
【補正対象書類名】明細書
【補正対象項目名】００１８
【補正方法】変更
【補正の内容】
【００１８】
従って、入出力電流と電圧の関係により、コンデンサ対応端子１から見ると、電流が流れ込む充電時にはコンデンサ９のＭ倍の容量値のコンデンサとして、電流が流れ出す放電時にはコンデンサ９のＮ倍の容量値のコンデンサとして見える。電流圧縮回路３と電流圧縮回路５の圧縮比が等しい時は、コンデンサと同等の入出力電流電圧特性となる。
【手続補正８】
【補正対象書類名】明細書
【補正対象項目名】００２６
【補正方法】変更
【補正の内容】
【００２６】
また、差動アンプ回路７は、コンデンサ対応端子１とコンデンサ９の電圧を同じにするよう動作する。これにより、コンデンサ対応端子１から見ると、コンデンサ９の（ｎ×ｍ）倍の容量値のコンデンサと同等の動作をする。
【手続補正９】
【補正対象書類名】図面
【補正対象項目名】図１
【補正方法】変更
【補正の内容】
【図１】
2001085974.tif 000001
【手続補正１０】
【補正対象書類名】図面
【補正対象項目名】図２
【補正方法】変更
【補正の内容】
【図２】
2001085974.tif 000002